(57)【特許請求の範囲】
【請求項１】
ホース巻取ドラム１の両端に円板鍔２，２を設け、該ホース巻取ドラム１の一方中心に回転ハンドル３を取付ける合成樹脂製の取付軸筒４を設け、他方中心に巻取用ホース接続管５と連設した入水管部６を設け、且つ前記取付軸筒４は一方枠体７の一方装着孔８に軸着すると共に入水管部６は他方枠体９の他方装着孔１０に装着し、且又合成樹脂製の取付軸筒４の内面中央に合成樹脂製の仕切壁１１を一体的に設けると共に取付軸筒４の内面先端に仕切壁１１を中心として１対の円弧状溝１２，１２を設け、更に回転ハンドル３には取付軸筒４に挿入する挿入軸１３を設け、該挿入軸１３は仕切壁１１が挿入される中央溝１４と取付軸筒４の内面先端に設けた１対の円弧状溝１２，１２に係止する係止凸部１５，１５を備えやや弾性を有した合成樹脂製の２叉状半円柱挿入片１６，１６で形成したことを特徴とする散水ホース用巻取器。
【請求項２】
２叉状半円柱挿入片１６，１６の相対する対向面１７，１７に仕切壁１１に摺接する数本の凸条１８，１８・・・を設けると共に中央溝１４の先端にハ字状切欠面部１９，１９を設け、更に円弧状溝１２，１２の後端に第１円弧面部２０，２０を設けると共に係止凸部１５，１５の後端に前記第１円弧面部２０，２０に当接する第２円弧面部２１，２１を設けたことを特徴とする請求項（１）記載の散水ホース用巻取器。
【発明の詳細な説明】
【０００１】
【産業上の利用分野】
この発明は、散水用のホースを巻取るに使用便利な散水ホース用巻取器に関するものである。
【０００２】
【従来の技術】
従来より、散水ホース用巻取器は多種多様のものが知られているが、特に図８に図示したようにホース巻取ドラムに取付けた円板鍔５０の中心より突設した合成樹脂製の取付軸５１の内周面に平行した平行案内溝５２，５２・・・と平行突条５３，５３・・・を設けると共に前記取付軸５１に挿入する回転ハンドル５４の合成樹脂製の挿入軸５５には平行案内溝５２，５２に挿入される挿入突条５６，５６と平行突条５３，５３・・・の先端段部５７，５７に係止する係止段部５８，５８を備えやや弾性を有した係止舌片５９，５９を設け、回転ハンドル５４を回転してホース巻取ドラムを回転するようにしたものは知られている（実公平７ー１８６９３号公報参照）。
【０００３】
【発明が解決しようとする問題点】
ところで、図８に図示したようにホース巻取ドラムに取付けた円板鍔５０の中心より突設し、枠体６０の装着孔６１に挿入する合成樹脂製の取付軸５１の内周面に平行した平行案内溝５２，５２・・・と平行突条５３，５３・・・を設けると共に合成樹脂製の取付軸５１に挿入する合成樹脂製の挿入軸５５には平行案内溝５２，５２に挿入される挿入突条５６，５６と平行突条５３，５３・・・の先端段部５７，５７に係止する係止段部５８，５８を備えやや弾性を有した係止舌片５９，５９を設け、回転ハンドル５４を回転してホース巻取ドラムを回転するようにしたものは、装着時に合成樹脂製の取付軸５１の内周面に設けた平行案内溝５２，５２・・・、平行突条５３，５３・・・及び合成樹脂製の挿入軸５５に設けた挿入突条５６，５６・・・、先端段部５７，５７が複雑な構造であると共に金型による製作時の温度変化等によって取付軸５１及び挿入軸５５が変形しいびつになって嵌合できず、回転できないことがあり、又嵌合してもいびつになった取付軸５１と挿入軸５５が確実に嵌合されずに回転ハンドル５４が空回りしてホース巻取ドラムを円滑に回転することができない等の欠点があった。
【０００４】
この発明は上記の問題点を解決したものであって、ホース巻取ドラムの回転を回転ハンドルが空回りすることがなく確実に行うことができると共に回転ハンドルの着脱が適確にできて使用便利な散水ホース用巻取器を得ることを目的としたものである。
【０００５】
【問題点を解決するための手段】
上記の目的を達成するためのこの発明は、ホース巻取ドラム１の両端に円板鍔２，２を設け、該ホース巻取ドラム１の一方中心に回転ハンドル３を取付ける合成樹脂製の取付軸筒４を設け、他方中心に巻取用ホース接続管５と連設した入水管部６を設け、且つ前記取付軸筒４は一方枠体７の一方装着孔８に軸着すると共に入水管部６は他方枠体９の他方装着孔１０に装着し、且又合成樹脂製の取付軸筒４の内面中央に合成樹脂製の仕切壁１１を一体的に設けると共に取付軸筒４の内面先端に仕切壁１１を中心として１対の円弧状溝１２，１２を設け、更に回転ハンドル３には取付軸筒４に挿入する挿入軸１３を設け、該挿入軸１３は仕切壁１１が挿入される中央溝１４と取付軸筒４の内面先端に設けた１対の円弧状溝１２，１２に係止する係止凸部１５，１５を備えやや弾性を有した合成樹脂製の２叉状半円柱挿入片１６，１６で形成したものである。
【０００６】
又２叉状半円柱挿入片１６，１６の相対する対向面１７，１７に仕切壁１１に摺接する数本の凸条１８，１８・・・を設けると共に中央溝１４の先端にハ字状切欠面部１９，１９を設け、更に円弧状溝１２，１２の後端に第１円弧面部２０，２０を設けると共に係止凸部１５，１５の後端に前記第１円弧面部２０，２０に当接する第２円弧面部２１，２１を設けたものである。
【０００７】
【実施例】
以下図面についてこの発明の実施例を説明すると、ホース巻取ドラム１の両端に円板鍔２，２を設け、該ホース巻取ドラム１の一方中心に回転ハンドル３を取付ける合成樹脂製の取付軸筒４を設け、他方中心に巻取用ホース接続管５と連設した入水管部６を設け、巻取用ホース接続管５には散水用のホースを取付け、入水管部６は水道蛇口に取付けたホースと連設するものである。
【０００８】
取付軸筒４は一方枠体７の一方装着孔８に軸着すると共に入水管部６は他方枠体９の他方装着孔１０に装着してホース巻取ドラム１を回転ハンドル３の回転操作で回転させることができるものである。
【０００９】
合成樹脂製の取付軸筒４の内面中央に合成樹脂製の仕切壁１１を一体的に設けると共に取付軸筒４の内面先端に仕切壁１１を中心として１対の円弧状溝１２，１２を設けたものである。
【００１０】
更に、回転ハンドル３には取付軸筒４に挿入する挿入軸１３を設けたものである。
【００１１】
挿入軸１３は仕切壁１１が挿入される中央溝１４と取付軸筒４の内面先端に設けた１対の円弧状溝１２，１２に係止する係止凸部１５，１５を備えやや弾性を有した合成樹脂製の２叉状半円柱挿入片１６，１６で形成したものである。
【００１２】
又、２叉状半円柱挿入片１６，１６の相対する対向面１７，１７に仕切壁１１に摺接する数本の凸条１８，１８・・・を設けると共に中央溝１４の先端にハ字状切欠面部１９，１９を設け、更に円弧状溝１２，１２の後端に第１円弧面部２０，２０を設けると共に係止凸部１５，１５の後端に前記第１円弧面部２０，２０に当接する第２円弧面部２１，２１を設けたものである。
【００１３】
又一方枠体７と他方枠体９との間には把持杆２２と連絡杆２３，２３とを設けて枠全体を形成するものである。
【００１４】
【発明の作用効果】
この発明は以上のような構成であり、ホース巻取ドラム１の両端に円板鍔２，２を設け、該ホース巻取ドラム１の一方中心に回転ハンドル３を取付ける合成樹脂製の取付軸筒４を設け、他方中心に巻取用ホース接続管５と連設した入水管部６を設け、且つ前記取付軸筒４は一方枠体７の一方装着孔８に軸着すると共に入水管部６は他方枠体９の他方装着孔１０に装着したことによって巻取用ホース接続管５に散水用のホースを接続して、不使用時は散水用のホースをホース巻取ドラム１に巻き取り、又入水管部６は水道蛇口とホースを介して連設するものである。
【００１５】
又回転ハンドル３を取付ける合成樹脂製の取付軸筒４の内面中央に合成樹脂製の仕切壁１１を一体的に設けたことによって取付軸筒４は仕切壁１１で補強されていびつになることがなく、回転ハンドル３の取付けを無理なく行うことができるものである。
【００１６】
又取付軸筒４の内面先端に仕切壁１１を中心として１対の円弧状溝１２，１２を設け、更に回転ハンドル３には取付軸筒４に挿入する挿入軸１３を設け、該挿入軸１３は仕切壁１１が挿入される中央溝１４と取付軸筒４の内面先端に設けた１対の円弧状溝１２，１２に係止する係止凸部１５，１５を備えやや弾性を有した合成樹脂製の２叉状半円柱挿入片１６，１６で形成したことによって回転ハンドル３の取付軸筒４に対する取付けは仕切壁１１が２叉状半円柱挿入片１６，１６間に設けた中央溝１４に案内され、更に円弧状溝１２，１２に係止凸部１５，１５が係止され、回転ハンドル３の回転に伴って取付軸筒４を円滑に回転することができて回転ハンドル３が空回りすることがないものである。
【００１７】
又、２叉状半円柱挿入片１６，１６の相対する対向面１７，１７に仕切壁１１に摺接する数本の凸条１８，１８・・・を設けると共に中央溝１４の先端にハ字状切欠面部１９，１９を設けたことにより２叉状半円柱挿入片１６，１６の取付軸筒４への装着に際しては仕切壁１１がハ字状切欠面部１９，１９に案内されて位置合せが容易であり更に数本の凸状１８，１８・・・が仕切壁１１に摺接して２叉状半円柱挿入片１６，１６に相対する対向面１７，１７の全面が仕切壁１１に当たるものではないので挿入が円滑に行われるものである。
【００１８】
又円弧状溝１２，１２の後端に第１円弧面部２０，２０を設けると共に係止凸部１５，１５の後端に前記第１円弧面部２０，２０に当接する第２円弧面部２１，２１を設けたので、２叉状半円柱挿入片１６，１６を取付軸筒４より引き抜いて回転ハンドル３を外す際もその引き抜きが容易で無理に強い力を要することがなく取扱い上極めて好都合である。
【００１９】
又更に、構造が簡単で故障のおそれが少なく容易に製作できるものである等幾多の産業的効果を奏するものである。
【図面の簡単な説明】
【図１】斜視図である。
【図２】一部切欠断面図である。
【図３】要部の分解斜視図である。
【図４】回転ハンドルの側面図である。
【図５】回転ハンドルの一部の斜視図である。
【図６】要部の断面図である。
【図７】要部の一部拡大断面図である。
【図８】従来品の説明図である。
【符号の説明】
１  ホース巻取ドラム
２  円板鍔
３  回転ハンドル
４  取付軸筒
５  巻取用ホース接続管
６  入水管部
７  一方枠体
８  一方装着孔
９  他方枠体
１０  他方装着孔
１１  仕切壁
１２  円弧状溝
１３  挿入軸
１４  中央溝
１５  係止凸部
１６  ２叉状半円柱挿入片
１７  対向面
１８  凸条
１９  ハ字状切欠面部
２０  第一円弧面部
２１  第二円弧面部
２２  把持杆
２３  連絡杆
【図１】
0003715007.tif 000002
【図２】
0003715007.tif 000003
【図３】
0003715007.tif 000004
【図４】
0003715007.tif 000005
【図５】
0003715007.tif 000006
【図６】
0003715007.tif 000007
【図７】
0003715007.tif 000008
【図８】
0003715007.tif 000009